(57)【要約】【課題】防塵性に優れるとともに、見栄えが良く、しかも不快音の発生がない、高品位な電子機器用スイッチボタン装置を提供する。【解決手段】ボタン２上部を外部へ突出させる孔１Ａを開口したハウジング１と、このハウジング内部の基板６に実装されボタン２の押下動作でオンするスイッチ７と、ボタン２を片持ち支持する支持体３とを備えた電話機のスイッチボタン装置において、ハウジング１とボタン２の隙間に圧接状態でパッキン５を配設した。【選択図】　図１
2004087329.tif 000002
【特許請求の範囲】
【請求項１】
電子機器のハウジング内部に設けた基板に実装したスイッチ及び前記スイッチ近傍の前記ハウジング内部に設けた支持部材と、前記支持部材に片持ち支持され前記ハウジングの開口した挿通孔から上部が外部に突出し前記電子機器の各種操作を行うボタンとを備えた電子機器用スイッチボタン装置であって、
前記ハウジングと前記ボタンとの間に圧接した状態で介装するパッキンを備えたことを特徴とする電子機器用スイッチボタン装置。
【請求項２】
前記ボタンの下部周縁部にフランジを設けるとともに、前記ボタンのフランジ上面に前記パッキンを取付け、
前記パッキンを前記ハウジング内面の前記挿通孔周縁部全周に亙って均一に圧接するように構成したことを特徴とする請求項１に記載の電子機器用スイッチボタン装置。
【請求項３】
前記パッキンに弾性体を用いたことを特徴とする請求項１又は２に記載の電子機器用スイッチボタン装置。
【発明の詳細な説明】
【０００１】
【発明の属する技術分野】
本発明は、電話機等のような電子機器に設けたボタンを支持する電子機器用スイッチボタン装置に関する。
【０００２】
【従来の技術】
従来の電子機器、例えば電話機には、各種の機能を操作するための操作ボタン（以下、ボタンと略す）が設けられており、このボタンには、例えば図４に示すような支持装置などによって支持された構成のものが知られている。
【０００３】
即ち、この支持装置には、ハウジング１０１の内部において、片側にヒンジ部１０２Ａを有しこのヒンジ部１０２Ａでのねじり作用により上下作動を可能にするボタン１０２と、このボタン１０２直下のスイッチ基板１０５との間で、取付け部１０４Ａを介して支持体１０３に片持ちされたキーベース１０４とを備えており、図５に示すように、ボタン１０２およびキーベース１０４をハウジング１０１およびスイッチ基板１０５で挟み込んで固定するようになっている。なお、キーベース１０４には、上面及び下面にそれぞれ突起１０４Ｂ及び１０４Ｃを突設させており、このうち上面側の突起１０４Ｂはボタン１０２を一点支持している一方、下面側の突起１０４Ｃは後述するスイッチ１０６に当接している。
【０００４】
さらに、このようなスイッチボタンの支持装置では、図４及び図５に示すように、ハウジング１０１の内面から下方へ突設させた圧接用凸部１０１Ｂをボタン１０２のヒンジ部１０２Ａの付近に配置することにより、全部品を組付けて組み込んだ時に、ハウジング１０１の圧接用凸部１０１Ｂを支点にしながら、ボタン１０２が撓むことで、ボタン１０２とスイッチ１０６との間の圧接力を高めている。
【０００５】
【発明が解決しようとする課題】
しかしながら、上記したスイッチボタンの支持装置では、各部品の形状ばらつきや組付けの際のばらつきを吸収する為に、挿通孔１０１Ａにおける遊び（孔クリアランス）Ｓ１や上下方向での遊び（上下クリアランス）Ｓ２を必要としていた。そのため、ハウジング１０１の外部からその孔クリアランスＳ１や上下クリアランスＳ２を通り抜けて、ゴミや埃等がスイッチ１０６の接点部に進入し、これが接点不良の原因となることがあった。
【０００６】
また、ボタン１０２とスイッチ１０６とを圧接するために、図５に示すような位置関係でハウジング１０１の内面に設けた圧接用凸部１０１Ｂの配設位置については、スイッチ１０６のクリック感は良いが、小ストロークになり易いという欠点がある。
このように、圧接用凸部１０１Ｂをスイッチ１０６近傍に配置した構成の場合には、各部品の組付けばらつきなどによりスイッチ１０６が誤動作する虞があるので、この圧接用凸部１０１Ｂはどうしてもヒンジ１０２Ａの付近に配置が限られている。
【０００７】
そのため、図５に示すように、ボタン１０２が圧接用凸部１０１Ｂに押圧され撓んだ状態では、挿通孔１０１Ａからのボタン１０２の突出量が不均一となり易く、外観品位が損なわれてしまう。しかも、ボタン１０２とキーベース１０４は剛体部品のため、キーベース１０４全体を均一に加圧するのが難しく、微少な隙間が生じると、びびり音の原因にもなっていた。
【０００８】
本発明は、上記従来の問題を解決するもので、防塵性に優れるとともに、見栄えが良く、しかも不快音の発生がない、高品位な電子機器用スイッチボタン装置を提供することを目的とする。
【０００９】
【課題を解決するための手段】
本発明の電子機器用スイッチボタン装置は、電子機器のハウジング内部に設けた基板に実装したスイッチ及び前記スイッチ近傍の前記ハウジング内部に設けた支持部材と、前記支持部材に片持ち支持され前記ハウジングの開口した挿通孔から上部が外部に突出し前記電子機器の各種操作を行うボタンとを備えた電子機器用スイッチボタン装置であって、
前記ハウジングと前記ボタンとの間に圧接した状態で介装するパッキンを備えたことを特徴としている。
【００１０】
この構成によれば、ボタンの押下動作の際にもハウジングとボタンとの間の隙間部分は密閉されており、外からの塵埃を内部に取りこまずに済む為、スイッチへの塵埃などが進入することによりスイッチ不良が発生するのを防止することができる。
【００１１】
また、本発明の電子機器用スイッチボタン装置は、前記ボタンの下部周縁部にフランジを設けるとともに、
前記ボタンのフランジ上面にパッキンを取付けて前記ハウジングの内面の前記挿通孔周縁部に均一に圧接するように構成したことを特徴としている。
【００１２】
この構成によれば、安定した部品の圧接により、びびり音の発生の原因となる微少な隙間を無くすことが可能になる他、従来のような特定位置（片側）に限定配置された圧接用凸部によるボタンの不均一な（傾斜した）突出状態を均一化させることができる。
【００１３】
また、本発明の電子機器用スイッチボタン装置は、前記パッキンに弾性体を用いたことを特徴としている。
【００１４】
この構成によれば、単一のパッキンで多種類のボタン形状に対応可能になるので、各種形状のボタンに合わせてそれ専用の形状のパッキンを形成して用意することが必要がなくなる。
【００１５】
【発明の実施の形態】
以下、本発明の実施の形態について、添付図面を参照しながら詳細に説明する。
図１は本発明の電話機用スイッチボタン装置を示す断面図、図２は図１に示す本発明における電話機用スイッチボタン装置の分解斜視図、図３はその電話機用スイッチボタン装置のボタンを押圧操作したときの状態を示す説明図である。
【００１６】
本実施の形態に係る電話機のスイッチボタン装置には、大略構成として、ハウジング１と、スイッチボタン（以下、ボタンと略す）２と、支持部材である支持体３と、キーベース４と、スイッチ７との他に、パッキン５を備えている。なお、図１〜図３において、符号６はスイッチ７を実装させたＳＷ（スイッチ）基板である。
【００１７】
ハウジング１は、適宜の樹脂で形成されており、ボタン２の取付け用の挿通孔１Ａは、組付けばらつき等を考慮しボタン２よりも大きめのサイズで形成されている。
【００１８】
ボタン２は、適宜の樹脂で形成されており、中央部分にはハウジング１の挿通孔１Ａの内径よりも小さい外径サイズで厚肉状の本体部２Ａを有しており、この本体部２Ａは、図１に示すように、ハウジング１外部への突出高さｈが全周に亙って一定となるように構成されている。
【００１９】
また、このボタン２には、上下方向への押圧動作を可能にするため、片側に薄肉で、かつ、細幅形状のねじりキートップヒンジ２Ｂと、ハウジング１側からボタン２を見た場合にハウジング１とボタン２との内外径差のためにこれらの間に隙間があいてそこからごみや埃などがハウジング１内部に進入するのを防止するため、挿通孔１Ａの内径寸法よりも大きな方形形状であって、ハウジング１内部での上下方向（ボタン２の厚さ方向）でのクリアランス（以下、これを上下クリアランスとよぶ）Ｓ２がほぼ同一に設定されるように後述するパッキン５を搭載させるボタン鍔２Ｃとを設けている。
【００２０】
支持体３は、略方形板状に形成されてＳＷ基板６の所定位置に起立した状態で設置されており、この一面（図２では側面部分に相当する）には後述するキーベース４のキーベースヒンジ４Ｃが固着されている。また、この支持体３の上面には、ボタン２のねじりキートップヒンジ２Ｂが固着されている。なお、この支持体３は、ボタン２側又はキーベース４側のいずれかと一体成形で形成してもよいし、一体成形が可能であれば、これらボタン２側及びキーベース４側との３体を一体に形成してもよい。
【００２１】
キーベース４は、適宜の樹脂で形成されており、スイッチ操作のための上下移動を可能にする為、薄肉で、かつ、細幅形状のキーベースヒンジ４Ｃが形成されている。また、このキーベース４には、ボタン２の押下動作に従動（連動）してスイッチ７を押下（オン）できるようにするため、ボタン２に対向する上面側には凸部４Ａ（以下、これをボタン側凸部とよぶ）が、また、スイッチ７に対向する下面側には凸部４Ｂ（以下、これをＳＷ側凸部とよぶ）がそれぞれ形成されている。
【００２２】
パッキン５は、弾性体、例えばこの実施の形態ではスポンジ（これ以外に、例えばゴム等でもよい）で形成されており、その厚みは、ボタン２が上下動した際にも密閉状態が確実に保持されるよう、ボタン２が押下された場合の上下クリアランスＳ２よりも若干大きく、かつ、挿通孔１Ａを完全に塞ぐことができるよう、挿通孔１Ａの内径寸法よりも大きな外径寸法に設定されている。
【００２３】
また、本実施の形態のパッキン５は、主に円環（リング）状に形成してあるが、ボタン２の本体部２Ａの形状が例えば楕円等の形状である場合には、その本体部２Ａを挿入させるパッキン５の孔５Ａもそれに合わせた同一大きさ、同一形状に形成すれば、ボタンの本体部２Ａの間に隙間が大きく形成されずにすみ、好ましい。
ただし、このパッキン５は、多少変形可能な収縮材料で形成されているので、ボタン２の本体部２Ａに対して多少サイズに差異があっても、これを吸収してボタン本体２Ａの周縁に隙間なく取付けることが可能となっている。
【００２４】
このスイッチ７は、電気部品スイッチであり、ＳＷ基板６の所定位置に実装されている。このスイッチ７は、ゴムキー等のキー構造のものと比較してストロークは短いがクリック感が良く、幅広い電気製品に使用されているものである。なお、このスイッチ７は、このスイッチ７以外のスイッチボタン装置を構成する各部品を取付けた後、ハウジング１側とＳＷ基板６とで挟み込んだ状態で、溶着又はねじ止め等によりＳＷ基板６に実装するようになっている。
【００２５】
次に、本実施の形態に係る電話機のスイッチボタン装置の作用について説明する。
図１に示すボタン２を押下していない状態では、パッキン５がつぶされた状態となっており、そのパッキン５の弾性力にてボタン２、キーベース４、スイッチ７が圧接されている。しかも、このパッキン５自身の有する弾性力がボタン２の周縁全体に亙って均一に加圧されるため、挿通孔１Ａから外部へボタン２の突出量を全周に亙って均一に保持したまま、スイッチボタン装置を構成する全ての部品（但し、支持体３及びスイッチ７などは除く）の固定を可能にしている。
【００２６】
次に、ボタン２を押下すると、図３に示すように、ボタン２はねじりキートップヒンジ２Ｂを支点にして弾性力を増加させながらスイッチ７側に向けて下降する方向に撓む。すると、キーベース４は、ボタン側凸部４Ａを通じてボタン２からの上下方向の荷重を受けるので、キーベースヒンジ部４Ｃもスイッチ７に向けて下方へ撓むことにより、ＳＷ側凸部４Ｂを介してスイッチ７を、ボタン２の上下動作に連動して押下することができる。
なお、この場合にも、上下クリアランスＳ２には、パッキン７が隙間ない状態で圧接・配設されており、ハウジング１内部での密閉状態を保持するような状態が設定・保持されている。また、この場合のパッキン２の弾性力はスイッチ７の復帰力より小さくなくてはいけない。
【００２７】
以上のように、本発明の実施の形態によれば、パッキン５をスポンジ等の弾性体にて形成し、このパッキン５の厚みは、図３のようにボタン２が上下動した際にも密閉が保持されるのに十分な寸法に形成されている。
【００２８】
また、このパッキン５の形状は主に円形状であるが、ボタン２の形状が例えば楕円等の形状のように、形状やサイズに多少差異があっても、パッキン５自身が伸縮性を有するスポンジなどで形成されているので、ボタン２の周縁に外挿可能な形状に多少変形することにより、ボタン２が上下動作する際にも内部の密閉状態が保持される。これにより、埃やゴミ等の進入を防止できるので、スイッチ７としての信頼性を向上させることができる。
【００２９】
また、ボタン２の周縁に均一な荷重が作用することにより、挿通孔１Ａから外部へのボタン２の突出量が均一化されるばかりか、安定した圧接状態によるビビリ音の少ない高品位の製品が実現可能となる。また、パッキン５にスポンジ等の弾性体を使用することにより、ボタン２の多種類の形状に対し、単一形状のパッキン５にて対応することができる。
【００３０】
【発明の効果】
以上のように本発明は、電子機器のハウジング内部のスイッチ基板に取付けたスイッチ及びスイッチ近傍に設けた支持部材と、支持部材に片持ち支持されハウジングの開口した挿通孔から上部が外部に突出し電子機器の各種操作を行うボタンとを備えた電子機器用スイッチボタン装置であって、ハウジングとボタンとの間に圧接した状態で介装するパッキンを備えたものであり、ハウジングとボタンとの間の隙間をこのパッキンにより塞ぐ格好となっているため、防塵性に優れるとともに、信頼性が向上した高品位な電話機のスイッチボタンの支持機構を提供できるという効果が得られる。
【図面の簡単な説明】
【図１】本発明の実施の形態における電話機のスイッチボタン装置の断面図である。
【図２】本発明の実施の形態における電話機のスイッチボタン装置の分解斜視図である。
【図３】本発明の実施の形態における電話機のスイッチボタン装置の動作説明のための断面図である。
【図４】従来の電話機のスイッチボタン装置を示す分解斜視図である。
【図５】従来の電話機のスイッチボタン装置の欠点を示す断面図である。
【符号の説明】
１　　　ハウジング
１Ａ　　挿通孔
２　　　ボタン
２Ａ　　本体部
２Ｂ　　ねじりキートップヒンジ
２Ｃ　　ボタン鍔
３　　　支持体（支持部材）
４　　　キーベース
４Ａ　　ボタン側凸部
４Ｂ　　ＳＷ側凸部
４Ｃ　　キーベースヒンジ部
５　　　パッキン
５Ａ　　孔
６　　　ＳＷ基板
７　　　スイッチ
Ｓ１　　孔クリアランス
Ｓ２　　上下クリアランス
【図１】
2004087329.tif 000003
【図２】
2004087329.tif 000004
【図３】
2004087329.tif 000005
【図４】
2004087329.tif 000006
【図５】
2004087329.tif 000007